(57)【要約】【構成】糸の拡大画像を表示して、糸の太さ方向の両端での糸本体と毛羽部との境界位置を、前記拡大画像上でユーザが入力するのを受け付ける。受け付けた境界位置を通るように、糸の長さ方向に平行な２本の境界マークを前記拡大画像上に表示し、前記２本の境界マーク間の間隔から糸径を求める。ゲージ換算手段で求めた糸径から適合する編機のゲージを求める。ループ形状換算手段で前記糸径に基づき編地でのループ形状を求め、さらに糸の画像を入力して、換算したループ形状と糸の画像とから、編地見本の画像をループシミュレーションにより作成して、編地見本とする。【効果】試編み無しで、編地見本を効率的に作成できる。【選択図】        図２
2005015958.tif 000002
【特許請求の範囲】
【請求項１】
糸の糸径を求めて、ゲージ換算手段で前記糸径から適合する編機のゲージを求め、かつループ形状換算手段で前記糸径に基づき編地でのループ形状を求め、さらに糸の画像を入力して、換算したループ形状と糸の画像とから、編地見本の画像をループシミュレーションにより作成するようにした編地見本の作成方法。
【請求項２】
糸の拡大画像を表示して、糸の太さ方向の両端部での糸本体と毛羽部との境界位置を、前記拡大画像上でユーザが入力するのを受け付け、受け付けた境界位置を通るように、糸の長さ方向に平行な２本の境界マークを前記拡大画像上に表示すると共に、前記２本の境界マーク間の間隔から前記糸径を求めるようにしたことを特徴とする、請求項１の編地見本の作成方法。
【請求項３】
糸の素材を入力するための手段を設けて、前記ループ形状換算手段では、前記糸径の他に糸の素材を用いてループ形状を求めるようにしたことを特徴とする、請求項１または２の編地見本の作成方法。
【請求項４】
仕上げ条件を入力するための手段と、仕上げ条件による編地の縮小率を記憶するための手段とを求めて、編地見本の画像を仕上げ条件により補正するようにしたことを特徴とする、請求項１〜３のいずれかの編地見本の作成方法。
【請求項５】
編地見本には、前記編地見本の画像の他に、少なくとも糸の画像、前記適合する編機のゲージ、及びウェール方向とコース方向のループサイズを表示するようにしたことを特徴とする、請求項１〜４のいずれかの編地見本の作成方法。
【請求項６】
ニット製品のガーメントをデザインするための方法であって、複数の各糸に対して、糸径を求めてゲージ換算手段で求めた糸径から適合する編機のゲージを求め、かつループ形状換算手段で前記糸径に基づき編地でのループ形状を求め、さらに各糸の画像を入力して、換算したループ形状と各糸の画像とから、編地見本の画像をループシミュレーションにより作成すると共に、ウェール方向とコース方向のループサイズを表示して、糸毎の編地見本とし、
糸毎の編地見本からユーザが選択した糸に対して、編地見本のループサイズに基づいてガーメントをデザインし、かつガーメントのデザインでの各ループを、糸の画像とループ形状とに基づいて表示するようにした、ニットデザイン方法。
【請求項７】
糸の糸径を適合する編機のゲージに換算するためのゲージ換算手段と、糸径を編地でのループ形状に換算するためのループ形状換算手段と、糸の画像を入力するための画像入力手段と、換算したループ形状と糸の画像とから、編地見本の画像を作成するためのループシミュレーション手段とを備えた、編地見本の作成装置。
【請求項８】
糸の拡大画像を表示するための表示手段と、糸の太さ方向の両端での糸本体と毛羽部との境界位置を、前記拡大画像上でユーザが入力するのを受け付けるための入力手段と、受け付けた境界位置を通るように、糸の長さ方向に平行な２本の境界マークを前記拡大画像上に表示するための手段と、前記２本の境界マーク間の間隔から糸径を求めるための糸径算出手段、とを設けた糸径の測定装置。
【発明の詳細な説明】
【０００１】
【発明の利用分野】
この発明は、編地見本の作成や、これを用いたガーメントのデザイン等に関する。この発明はまた、編地見本の作成装置や、編地見本の作成に必要な糸径の測定装置に関する。
【０００２】
【従来技術】
【特許文献１】特開２００１−１２３３６４号公報
【０００３】
従来では鉛筆法と呼ばれる方法が用いられ、円筒体に所定の回数密着巻きで糸を巻き付けた際に、巻き付けた糸が円筒体で占める巻き付け幅から糸径を求めている。しかしこのような方法では、糸に加える張力を一定にして張力による糸の変形を一定にし、かつ糸の間に隙間や重なりが生じないように、正確に密着巻きをする必要がある。そこで特許文献１は、糸径を測定しようとする糸を用いて編地を編成し、ウェール方向に引いてコース方向のサイズが変化しなくなるようにし、この状態で求めたコース方向の編目サイズの１／４を糸径とすることを開示している。特許文献１では、糸径を測定するために試編みが必要になる。
【０００４】
ところで編地のテストピースを編成し、どのような糸を用いるとどのようなイメージの編地となるのかを評価するための、編地見本とすることが行われている。編地見本は、糸から編地のイメージ、特に編地の風合いを得るために必要で、ガーメントのデザインを行う前に必要である。編地見本を作成するには試編みが必要で、使用するゲージや種々の編成条件を選んでから試編みするため、手間がかかる。
【０００５】
【発明の課題】
この発明の基本的課題は、編地を実際に編成せずに、信頼性のある編地見本を作成することにある（請求項１，７）。
請求項３の発明での追加の課題は、素材によりループ形状が異なっても、信頼性のある編地見本が得られるようにすることにある。
請求項４の発明での追加の課題は、仕上げにより編地の縮小を反映した編地見本を提供することにある。
請求項５の発明での追加の課題は、所望サイズのガーメントを編成するのに必要な目数が、編地見本から分かるようにすることにある。
請求項６の発明の課題は、ニット製品のデザインを容易にすることにある。
請求項２，８の発明の課題は、簡単かつ正確に糸径を測定できるようにすることにある。
【０００６】
【発明の構成】
この発明の編地見本の作成方法は、糸の糸径を求めて、ゲージ換算手段で前記糸径から適合する編機のゲージを求め、かつループ形状換算手段で前記糸径に基づき編地でのループ形状を求め、さらに糸の画像を入力して、換算したループ形状と糸の画像とから、編地見本の画像をループシミュレーションにより作成するようにしたものである（請求項１）。
この明細書で、ループ形状は例えばループの丈と幅とし、他に必要な糸長を求めるためにループ長を含めても良い。
糸径からループ形状を求めるには、例えばループの種々のモデルが公知なので、ループはこのような公知モデルに従った形状をしているものと仮定し、糸径をモデルに当てはめてループ形状を得ても良い。好ましくは、糸径からループ形状を求めるための換算条件を変更可能にして、徐々に実際にあったループ形状が得られるように換算条件を改良（成長ないしは学習）できるようにする。
ループシミュレーションは、各ループをシミュレーション画像で表現した編地の画像を作ることである。
【０００７】
好ましくは、糸の拡大画像を表示して、糸の太さ方向の両端部での糸本体と毛羽部との境界位置を、前記拡大画像上でユーザが入力するのを受け付け、受け付けた境界位置を通るように、糸の長さ方向に平行な２本の境界マークを前記拡大画像上に表示すると共に、前記２本の境界マーク間の間隔から前記糸径を求めるようにする（請求項２）。境界マークは例えば直線状の境界線を含むマークである。
【０００８】
また好ましくは、糸の素材を入力するための手段を設けて、前記ループ形状換算手段では、前記糸径の他に糸の素材を用いてループ形状を求めるようにする（請求項３）。糸の素材は、例えばウール系、綿系などとする。
好ましくは、仕上げ条件を入力するための手段と、仕上げ条件による編地の縮小率を記憶するための手段とを求めて、編地見本の画像を仕上げ条件により補正するようにする（請求項４）。この補正は、例えばループ形状を仕上げ条件で補正する、編地見本の画像を仕上げ条件で補正するなどで行う。
特に好ましくは、編地見本には、前記編地見本の画像の他に、少なくとも糸の画像、前記適合する編機のゲージ、及びウェール方向とコース方向のループサイズを表示するようにする（請求項５）。この結果、所望のサイズの編地を編成するには、どれだけの目数が必要かが判明する。
【０００９】
この発明のデザイン方法は、ニット製品のガーメントをデザインするための方法であって、複数の各糸に対して、糸径を求めてゲージ換算手段で求めた糸径から適合する編機のゲージを求め、かつループ形状換算手段で前記糸径に基づき編地でのループ形状を求め、さらに各糸の画像を入力して、換算したループ形状と各糸の画像とから、編地見本の画像をループシミュレーションにより作成すると共に、ウェール方向とコース方向のループサイズを表示して、糸毎の編地見本とし、糸毎の編地見本からユーザが選択した糸に対して、編地見本のループサイズに基づいてガーメントをデザインし、かつガーメントのデザインでの各ループを、糸の画像とループ形状とに基づいて表示するようにしたものである（請求項６）。なおガーメントは、セーター、ワンピース、カーディガン、ソックス、などの編み製品である。
【００１０】
この発明の編地見本の作成装置は、糸の糸径を適合する編機のゲージに換算するためのゲージ換算手段と、糸径を編地でのループ形状に換算するためのループ形状換算手段と、糸の画像を入力するための画像入力手段と、換算したループ形状と糸の画像とから、編地見本の画像を作成するためのループシミュレーション手段とを備えたものである（請求項７）。
【００１１】
この発明の糸径の測定装置は、糸の拡大画像を表示するための表示手段と、糸の太さ方向の両端での糸本体と毛羽部との境界位置を、前記拡大画像上でユーザが入力するのを受け付けるための入力手段と、受け付けた境界位置を通るように、糸の長さ方向に平行な２本の境界マークを前記拡大画像上に表示するための手段と、前記２本の境界マーク間の間隔から糸径を求めるための糸径算出手段、とを設けたものである（請求項８）。
【００１２】
【発明の作用と効果】
この発明では、糸径から適合する編機のゲージを求めると共に、糸径をループの形状に換算する。求めたループ形状と糸の画像とを用いて、編地見本をループシミュレーションにより作成する。このため試編み（テストピースの編成）無しで編地見本を作成できる。作成した編地見本は、糸径に基づくのでループ形状に信頼性があり、糸画像を用いているので、風合い（テクスチャ）の表現もリアルである。これらのため、従来多大の時間を要していた編地見本の作成を容易にできる（請求項１，７）。
【００１３】
糸径は例えば糸の拡大画像から求める。糸には糸の本体とその周囲の毛羽部とがあり、画像認識で糸本体と毛羽部との境界を求めるのは難しい。かといって画面上で目視などにより単純に境界を指定すると、糸には撚りによる広狭があり、毛羽立ちの状態も場所によって異なるため、正確に糸本体と毛羽の境界を入力するのは難しい。そこでユーザが入力した境界を通るように、糸の長さ方向に平行な境界マークを表示する。境界マークが、糸の長さ方向に沿って平均的に毛羽部と糸本体との境界を通っていれば、境界を正しく入力したことになる。そこで境界マークを用いて、毛羽部と糸本体の境界の入力の適否を確認できる。次に境界マークは糸の太さ方向の両側に一対あり、これらの間隔を求めると、糸径を求めることができる。このため請求項２，８の発明では、簡単かつ正確に糸径を求めることができる。
【００１４】
ループ形状は、糸径の他に、糸の素材にも依存する。ループ形状を定める最大の因子は糸径で、補助的な因子が糸の素材である。そこで糸径と素材の双方に応じてループ形状を定めるようにすると、より正確にループ形状を求めることができ、より正確な編地見本を得ることができる（請求項３）。
編地やループのサイズは仕上げにより伸縮し、一般的には仕上げにより縮む。そこで仕上げ条件を入力できるようにして、仕上げ条件によりループ形状を補正する、編地見本の画像を補正する、などの補正を施すと、仕上げ条件も考慮に入れた編地見本が得られる（請求項４）。
編地見本にループサイズを表示し、用いた糸の画像を表示し、ゲージを表示すると、どのゲージの編みでどれだけのコース数とウエール数を編成すると、どのサイズの編地となるのかが、試編み無しで予想できる。
【００１５】
請求項６の発明では、編地見本を用いて風合いを判断し、糸を選択しガーメントをデザインする。ループのサイズが編地見本から判るので、これを用いてコース方向やウェール方向の目数を定めると、所望のサイズで所望の風合いのガーメントを簡単にデザインできる。
【００１６】
【実施例】
図１〜図４に実施例を示す。これらの図において、２はニットデザイン装置で、糸径の算出や編地見本の作成、ガーメントのデザインなどに用いる。ガーメントのデザインでは、セーターやワンピース，カーディガンなどをデザインし、得られたデザインデータを横編機などの編機の編成データに変換する。４はフラットベッドスキャナで、治具６に差し渡したテスト糸１０の糸画像を取り込み、８，９はアームで、例えば治具６の両端に設ける。糸径を測定するテスト糸１０の一端を、粘着テープなどの固定具１２により、アーム８に固定する。テスト糸１０を固定具１２から例えば数回アーム８に沿って巻き回した後に、フラットベッドスキャナ４の読み取り面を横断するようにして、反対側のアーム９へと差し渡し、他端に錘１３を取り付けて所定の荷重を加える。この所定の荷重とは、糸を一定の状態にするために必要な荷重のことであり、錘１３の重量は例えばテスト糸１０の２５０ｍに相当する重量とする。
【００１７】
図１ではフラットベッドスキャナ４を用いたが、ハンディスキャナやマイクロスコープなどを用いてもよく、糸のカラー画像を編地見本の作成に用いるため、カラー画像を読み取れるものが好ましい。解像度は高いほど好ましく、実施例では３２００ＤＰＩ（高解像度画像）と８００ＤＰＩ（低解像度画像）の２種類の画像を、フラットベッドスキャナ４により取り込む。なお高解像度画像の取り込みでは前記のようにテスト糸１０に荷重を加えて状態を一定にし、低解像度画像の取り込みではテスト糸１０に荷重を加えないか、あるいは高解像度の場合よりも荷重を小さくし、テスト糸１０がリラックスした状態の画像を取り込む。これはループシミュレーションに、荷重により緊張した状態ではなく、リラックスした状態の糸の画像を使用するためである。テスト糸１０の明度が高い場合、フラットベッドスキャナ４は蓋をせずに画像を読み取り、背景を黒にすると便利である。またテスト糸１０の明度が低い場合、蓋をして背景を白にすると便利である。フラットベッドスキャナ４からニットデザイン装置２へ、テスト糸１０の画像が、８００ＤＰＩと３２００ＤＰＩの２つの解像度で入力される。
【００１８】
ニットデザイン装置２には、高解像度ディスプレイなどの表示部１４と、デザイン装置本体１５とが設けてある。またニットデザイン装置２はカラープリンタ１６に接続されている。表示部１４には例えば高解像度の糸画像１８が表示されており、糸画像１８は糸本体１９とその周囲の毛羽部２０とから成っている。そして糸本体１９と毛羽部２０との境界をパターン認識で求めるのは難しく、かつ糸には撚りがあるため、この境界の位置は糸の長さ方向に沿って変動する。
【００１９】
そこで例えば１対の案内線２１，２１（図１の鎖線）を用いて、この線が糸本体１９と毛羽部２０の境界の平均的な位置に位置するようにする。マウスやスタイラスなどの位置入力手段２２により、ユーザが糸画像１８で、糸本体１９と毛羽部２０との境界の点を指定すると、その点を通って糸の長さ方向に平行に案内線２１が発生して表示される。糸本体１９には撚りがあるため、糸本体１９と毛羽部２０との境界は場所によって異なる。そこでユーザは、位置入力手段２２により、糸の長さ方向に沿って平均的に、案内線２１が糸本体１９と毛羽部２０との境界に現れるように、案内線２１を移動させる。このように、ユーザが位置入力手段２２により、案内線２１にタッチしてドラックする毎に、案内線２１は移動する。この作業を通して、案内線２１の位置が正しいことを確認する。
【００２０】
糸径の算出は、テスト糸１０の広い範囲で、例えば５ｃｍあるいは１０ｃｍ程度の範囲の複数の場所で、案内線２１を発生させて行うのが好ましい。図１では、糸画像１８として１カ所のみの画像を示したが、複数箇所の糸画像を表示部１４に表示し、これらにそれぞれ案内線２１，２１をセットするのが好ましい。実施例では糸本体１９と毛羽部２０の境界を示す案内線を、文字通り線として表示しているが、糸本体１９と毛羽部２０の境界が分かる、糸の長さ方向に平行な線状の境界を含むマークであればよい。例えば案内線２１，２１の内側と外側で明度や彩度あるいは色調などを変えると、どこからどこまでの範囲を糸本体１９の内部の領域として指定したかが、ユーザに判明する。
【００２１】
案内線間隔算出手段２３は、糸の太さ方向両側の案内線２１，２１の間隔を求め、例えば糸の太さを４カ所で測定している場合、案内線２１，２１のペア（組み）も４対あり、これらに対してそれぞれ糸の太さが求まるので、平均化手段２４でこれらの糸の太さを平均化して糸径を求める。平均化には単純平均や幾何平均などを用いてもよく、また４カ所で求めた糸径のばらつき、例えば標準偏差が、所定値よりも大きい場合、表示部１４で警告して、案内線２１，２１の再入力を求めるなどのことをしてもよい。
【００２２】
テスト糸１０の撚りが甘い場合、糸本体１９と毛羽部２０との境界が不明なことがある。このような場合は、糸画像１８から糸径を求めることができないので、番手から糸径への換算手段２５を用いて糸径を求める。番手は例えば所定重量当たりの糸の長さや、所定長さあたりの糸の重量とし、市販されている糸であれば番手が表示されているし、このような番手を利用できない場合でも、簡単に測定できる。番手から糸径への換算手段２５は、例えば番手から糸径への換算表などで構成する。
【００２３】
換算手段２５による番手から糸径への換算は便宜的なものであり、この換算が正しいかどうかは、編地見本でのループの表示サイズと、実際にこの糸を用いて編地を編成した際のループサイズ、との比較から判明する。そこで換算条件変更入力手段２６を設けて、換算手段２５の換算条件を変更できるようにする。糸画像記憶部２７にはフラットベッドスキャナ４で読み込んだ糸画像を、高解像度の画像と低解像度の画像の例えば２種類の画像として記憶する。ただし高解像度画像のみを記憶し、これを適当に縮小して、その都度、低解像度画像を発生させるようにしてもよい。この場合、糸径を所定の割合で増すように、言い換えると糸の太さをある程度太くしてから縮小して、ループシミュレーションなどに用いるのが好ましい。具体的には糸の長手方向と太さ方向とで縮小率を変え、長手方向の縮小率を太さ方向よりも大きくすると良い。
【００２４】
以上のようにすることにより、テスト糸１０に対して糸径を求めると共に、糸画像を取り込むことができる。糸画像の取り込みにはスキャナのほかにマイクロスコープ（顕微鏡）などを用いてもよい。また案内線２１，２１を用いると、糸本体１９と毛羽部２０との境界を画像認識などで求めるよりも、簡単かつ正確に糸径を求めることができる。特に糸の撚りによる糸本体１９の境界の変動を、簡単かつ正確に処理できる。
【００２５】
図２に、糸径を用いて編地見本を出力するための構成を示す。バス３０には様々な入力データが供給され、これらの入力手段には、例えばキーボードやマウス、スタイラス、あるいは入力データを記憶したディスクなどを用いればよい。多本取り本数の入力では、デフォールト値が１で、２〜４などの本数を指定すると、糸を２本〜４本程度引き揃えて編地を編成することを指定したことになる。この場合糸径は、多本取りの本数に応じて補正する。例えば糸を２本重ねて用いると、長さあたりの重量は２倍になるので、糸径が約１．４倍になるものとして扱う。３本取りや４本取りの場合も、糸の本数に応じて、糸径が増すように同様に補正する。バス３０には図１で求めた糸径が入力され、他にループシミュレーションでのループ画像を作成するために、低解像度の糸画像が入力される。
【００２６】
ループのサイズ（ループの丈や幅）は基本的に糸径で定まるが、これ以外に素材の影響も受ける。発明者は糸の素材の影響として、少なくともウールなどの動物性繊維とその混紡と、綿などのセルロース繊維とその混紡、の２種類の素材を考慮すれば、使用する糸の大部分をカバーできることを見い出した。本実施例の編地見本の作成では、糸の素材は好ましくはウールなどの動物性繊維系とその混紡（ウール系）と、綿などのセルロース繊維系とその混紡（以下「綿系」）の２種類に分けて扱われる。糸の素材はこれ以外にも多種類有るが、基本的にはウール系か綿系かで、ループサイズへの補正因子が定まり、これらはループの幅よりも丈に影響する。なお素材の入力時には、スパンテックスなどのように、仕上げ時の縮みが大きい素材も入力できるようにすることが好ましい。これ以外に、スチームや洗いなどの仕上げ条件を入力する。また仕上げ条件や素材などに、デフォールト値を設けて記憶しておく場合、デフォールト値の変更入力を設けるのが好ましい。
【００２７】
また糸径と素材からのループ幅や、ループ丈、ループ長などのループ形状への変換は、経験的なルールに基づくものであり、ニットデザイン装置２で作成した編地見本と実際の編地との比較から、徐々にルールを改善できる。そこで糸径などからループ形状への変換ルールの変更入力（ループ形状変更入力）を設けて、糸径や素材からのループ形状への変換精度を徐々に向上させるようにする。
【００２８】
また糸径に対して、それに適合する編機の標準的なゲージを求めるようにする。糸径からゲージへの変換も経験的なルールに基づくものであり、ゲージ変更入力を設けて、糸径からゲージへの変換条件を徐々に改善できるようにする。
【００２９】
換算手段３１は糸径からループ形状へ換算し、好ましくは糸径の他に素材（ウール系もしくは綿系の２種類）を用いて、ループ長，ループ幅，ループ丈などのループ形状へ換算する。換算手段３２は、糸径をその糸に適合した編機のゲージに換算する。編機として実施例では横編機を想定するが、丸編機などの他の種類の編機でもよい。
【００３０】
換算手段３３は、スチームまたは洗いなどの仕上げ条件に対して、縮小率を出力する。なお仕上げにより縮小ではなく拡大が生じる場合、縮小率を−（マイナス）と考えればよい。また仕上げの影響は素材により異なり、特にスパンテックスなどの場合、仕上げによる縮小が大きいので、素材の入力ではウール系もしくは綿系の他に、スパンテックスなどの特殊糸の３種類を入力できるようにし、縮小率を素材により変更できるようにすることが好ましい。換算手段３１〜３３は例えば換算表により構成し、これらの換算表での換算条件を変更できるようにして、使用しながら実状に合わせていくのが好ましい。
【００３１】
換算手段３１はループ長やループ幅，ループ丈などのループ形状を、ループシミュレーション手段３６へ出力し、仕上げ条件の換算手段３３は仕上げによる縮小率を出力する。仕上げによる縮小への補正は、ループの丈や幅、ループ長を補正することによって行ってもよく、ループシミュレーションにより得られた画像を全体的に縮小することによって行ってもよい。また仕上げによる縮小率は、ループの幅方向と高さ方向とで異なる値にしてもよい。
【００３２】
ループシミュレーション手段３６ではループの形状と仕上げによる影響が入力され、他に低解像度の糸画像が入力される。各ループの形状が定まり、そのサイズが定まり、かつ糸の風合いが低解像度の糸画像から定まるので、ループシミュレーション手段３６では、編地の各ループをシミュレーションしたカラー画像を出力できる。また換算手段３２では、ゲージなどを出力し、他にループ形状などのデータを加えてカラープリンタ１６で編地見本のハードコピー３８を出力する。表示部１４にも同様のデータを出力し、この場合、ループシミュレーション画像と他のデータとを同じウインドウで表示しても、別のウインドウで表示してもよい。得られた編地見本やそれに伴うループ形状やゲージなどのデータは、編地見本のライブラリ３９に記憶するのが好ましい。
【００３３】
図３に編地見本のプリント例を示す。糸の名称と番手並びに撚りの種類や素材、仕上げ条件などを入力する。例えば番手の２／１５の表示は、毛番手で１５番手単糸を２本撚った双糸であり、この糸の１５ｍが２ｇに相当することを意味する。編地見本のハードコピー３８には、糸画像（低解像度画像）と編地見本のループシミュレーション画像とが表示され、ゲージにはこの糸に適合する編機のゲージの例が示され、８Ｇ，１０Ｇなどのように複数のゲージを表示してもよい。ループ長の欄には、編成の制御並びに編成に必要な糸長を明らかにするため、仕上げ前のループ長を表示する。編機で編地を編成する際に、このループ長は編成データを作成する参考となる。目数の欄には、コース方向１０ｃｍ当たりの目数（横方向目数）と、ウェール方向１０ｃｍ当たりの目数（縦方向目数）とを表示する。目数はループの形状が定まり、仕上げによる縮小率が定まると判明する。またループ長が判明しているので、単位面積当たりの目数にループ長を掛け、糸径と、素材から推定した糸の比重などを考慮して求めた、編地の単位面積当たりの重量を表示する。
【００３４】
このように図３の編地見本のハードコピー３８を用いると、ループシミュレーション画像から、この糸を用いるとどのような風合いの編地が得られるかを想像できる。また所定サイズのガーメントを作成するのに必要な目数や糸の長さが判明し、その重量も予測できる。そして編成に適した編機のゲージやループ長も判明する。従来では、図３のような編地見本は、実際にテストピースを編成し、これを所定の用紙に貼り付けて作成していた。また目数や重量は、テストピースでの単位長さ当たりの目の数などを測定して、あるいはテストピースの重量を測定して表示ｘしていた。このため編地見本の作成は大変な労力を要するものであった。これに対して実施例では、試編みなしでほぼ正確な風合いの編地見本を表示すると共に、ゲージやループ長、目数，重量などのガーメントのデザインに必要なデータを得ることができる。
【００３５】
図４に、編地見本が得られた後のガーメントのデザインを示す。ガーメントデザインのライブラリ４０にはガーメントのデザインデータが多数保存されている。また編地見本のライブラリ３９には、図２で作成した編地見本のデータが多数保存されている。４２はデザイン入力手段で、キーボードやスタイラス、あるいはマウスなどであり、ガーメントのデザインのための入力（パターンや柄、編組織などの入力）を行う。ニットデザイン部４４は、例えばライブラリ４０から呼び出されたガーメントのデザインに、デザイン入力手段４２からの変更を加え、編地見本のライブラリ３９から呼び出された編地見本を用いて、ガーメントのデザインデータを作成する。またニットデザイン部４４には、求めたガーメントのデザインを、横編機などの編機の編成データにデータ変換する手段が設けられている。
【００３６】
例えばライブラリ３９から編地見本を呼び出して表示部１４に表示し、これからユーザが糸を選択したとする。すると適合するゲージ並びにコース方向やウェール方向の所定長さ当たりの目数が判明する。ユーザは、ライブラリ４０から、編地見本の風合いなどを参考にして、糸に適したガーメントのデザインを呼び出す。あるいは逆にガーメントのデザインを呼び出して、これに応じた糸をライブラリ３９の編地見本から選択する。そして編地見本中の目数などを用いて、所定のグレーディングルールなどを用いて、所望のサイズになるようにガーメントのデザインを縮小もしくは拡大する。またデザイン入力手段４２を用いて、適宜のデザイン変更を行う。このようにすると、ユーザが選択した糸に対するガーメントのデザインが行われる。
【００３７】
行われたデザインに対して、ループシミュレーション手段３６はループシミュレーションを行う。ループシミュレーションで用いるループの画像には、編地見本の作成時に作成したループ画像をコピーして用いてもよく、あるいは糸径と素材や、ループ形状と糸画像などから、再度作成してもよい。ループシミュレーション画像はカラープリンタ１６などで出力でき、表示部１４にも表示できる。そして例えば仕上げ条件なども加味してループサイズを補正すると、実際のガーメントにきわめて近い画像を、カラーハードコピーや画面上で得ることができる。これらのため、糸の風合いに応じたデザインをライブラリ４０から選択し、実際の編地に近いループシミュレーション画像を表示し、目的サイズのガーメントを得るためのウェール数やコース数などを容易に求めることができる。
【図面の簡単な説明】
【図１】実施例での、糸径の読み取りのための構成を示すブロック図
【図２】実施例での、編地見本の作成のための構成を示すブロック図
【図３】実施例で作成した編地見本の例を示す図
【図４】実施例での、ガーメントのデザインのための構成を示すブロック図
【符号の説明】
２            ニットデザイン装置
４            フラットベッドスキャナ
６            治具
８，９        アーム
１０          テスト糸
１２          固定具
１３          錘
１４          表示部
１５          デザイン装置本体
１６          カラープリンタ
１８          高解像度の糸画像
１９          糸本体
２０          毛羽部
２１          案内線
２２          位置入力手段
２３          案内線間隔算出手段
２４          平均化手段
２５          換算手段
２６          換算条件変更入力手段
２７          糸画像記憶部
３０          バス
３１〜３３    換算手段
３６          ループシミュレーション手段
３８          編地見本のハードコピー
３９          編地見本のライブラリ
４０          ガーメントデザインのライブラリ
４２          デザイン入力手段
４４          ニットデザイン部
【図１】
2005015958.tif 000003
【図２】
2005015958.tif 000004
【図３】
2005015958.tif 000005
【図４】
2005015958.tif 000006